(57)【要約】【課題】トランスを用いることなく電圧電流変換および中間信号を取出すことができるようにする。【解決手段】反転入力端子と非反転入力端子がそれぞれ接続され、反転入力端子と出力端子とを第１の抵抗３１および第２の抵抗３２を介して接続した第１および第２の差動増幅器３０Ａ、３０Ｂを有する電圧電流変換回路よりなり、第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、各第１の抵抗と第２の抵抗の接続点に第１および第２の出力端子ＯＵＴ１、ＯＵＴ２を設け、第１および第２の差動増幅器の出力端子間を接続した複数の第２の抵抗の中点に第３の出力端子ＯＵＴ３を設ける。【選択図】図６
2005252719.tif 000002
【特許請求の範囲】
【請求項１】
反転入力端子と非反転入力端子がそれぞれ接続され、反転入力端子と出力端子とを第１の抵抗および第２の抵抗を介して接続した第１および第２の差動増幅器を有する電圧電流変換回路よりなり、
第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、
前記各第１の抵抗と第２の抵抗の接続点に第１および第２の出力端子を設け、前記第１および第２の差動増幅器の出力端子間を接続した複数の第２の抵抗の中点に出力端子を設けたことを特徴とする電子トランス。
【請求項２】
反転入力端子、非反転入力端子および出力端子を有する第１および第２の差動増幅器とを有する電圧電流変換器よりなり、
第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、
前記第１及び第２の差動増幅器の非反転入力端子と出力端子はそれぞれ第１および第２の抵抗を介して接続され、
前記第１及び第２の差動増幅器の非反転入力端子と出力端子を接続した第１および第２の抵抗のそれぞれの接続点に第１および第２の出力端子を設け、
前記第１、第２の差動増幅器の出力端子および前記第１、第２の出力端子を複数の第２の抵抗で接続し、前記第２の抵抗の接続点に出力端子を設けたことを特徴とする電子トランス。
【請求項３】
反転入力端子と非反転入力端子がそれぞれ接続され、反転入力端子と出力端子とを第１の抵抗および第２の抵抗を介して接続した第１および第２の差動増幅器を有する電圧電流変換回路よりなり、第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、前記各第１の抵抗と第２の抵抗の接続点に第１および第２の出力端子を設け、前記第１および第２の差動増幅器の出力端子間を接続した複数の第２の抵抗の中点に出力端子を設けた第１、第２および第３の電子トランスよりなり、
前記第１の電子トランスの第１の出力端子と第３の電子トランスの第１の出力端子を接続し、前記第２の電子トランスの第１の出力端子と第３の電子トランスの第２の出力端子を接続し、第１および第２の電子トランスの第２の出力端子を接続し、
前記第１および第３の電子トランスの第１の入力端子に右信号Ｒと中間出力信号Ｓとを含む右複合信号Ｒｏを加え、
第２の電子トランスの第１の信号入力端子と第３の電子トランスの第２の信号入力端子に左信号Ｌと中間出力信号Ｓとを含む左複合信号Ｌｏを加え、
前記第３の電子トランスの出力端子から中間出力信号Ｓを取出すことを特徴とするステレオ信号取出装置。
【発明の詳細な説明】
【技術分野】
【０００１】
本発明は差動増幅器で構成した電圧電流変換回路を用いた電子トランスおよびその電子トランスを利用し、左信号と右信号の中間にある中間出力信号を取出すステレオ信号取出装置に関する。
【背景技術】
【０００２】
左右２信号で伝送されたステレオ信号を左右２つのスピーカーで再生すると、左信号Ｌは左のスピーカーから再生され、右信号Ｒは右のスピーカーから再生される。そして中央の信号は左右２つのスピーカーから同時に再生されて、左右のスピーカー間の中央に位置した聴取者には、この再生音が２つのスピーカーの中央から聴こえてくる。
【０００３】
しかしこの時中央の聴取者が左のスピーカー前方に移動すると、この聴取者には左の音と中央の音までが左のスピーカーから聞え、右のスピーカーからは右の音しか聞えない。中央に定位すべき音が聴取者の位置につれて移動し適正な再生状態が得られなくなる。
【０００４】
これは高忠実度再生を目指すステレオ再生にとって非常に大きな問題であり、カーステレオのみならず、多数の聴取者が同時に聴く映画館やコンサート会場などにおいて重大な問題となる。
【０００５】
図１１は斯かる問題を解決したものである。入力端子１Ｌ、１Ｒから左右の音声信号Ｌｉ、Ｒｉを入力し、増幅回路２ＬＦ、２ＲＦで増幅し、聴取者の前方に置かれた左右のスピーカー３ＬＦ、３ＲＦから左右の音声信号を発生させる。それと共に左右の音声信号Ｌｉ、Ｒｉをサラウンド回路４に加え、擬似のセンターチャンネルの音声信号Ｃを発生させる。そして発生された擬似のセンターチャンネルの音声信号Ｃを左右のスピーカー３ＬＦ、３ＲＦの中間に置かれたセンタースピーカー３ＣＦから発生させることが行われている。
【０００６】
またサラウンド回路４からはサランド信号ΔＬ、ΔＲを発生させる。発生されたサランド信号ΔＬ、ΔＲを増幅回路２ＬＢ、２ＲＢで増幅し、聴取者の後方に置かれた左右のスピーカー３ＬＢ、３ＲＢからサランド信号ΔＬ、ΔＲを発生させる。
【特許文献１】特開昭５５−５２６９４号公報
【発明の開示】
【発明が解決しようとする課題】
【０００７】
従来の左右２信号で伝送されたステレオ信号を左右２つのスピーカーで再生するとき、中央の信号は左右２つのスピーカーから同時に再生されて、左右のスピーカー間の中央に位置した聴取者には、この再生音が２つのスピーカーの中央から聴こえてくるので、立体感があるＨｉＦｉ信号を聴くことができる。
【０００８】
しかし聴取者が左のスピーカー前方に移動すると、この聴取者には左の音と中央の音までが左のスピーカーから聞え、右スピーカーからは右の音しか聞えない。従って中央に定位すべき音が聴取者の位置につれて移動し適正な再生状態が得られなくなる。
【０００９】
斯かる欠点を除去するため、左右の信号から擬似の中央チャンネルの信号を取出し、左右のスピーカーの中央に置かれたスピーカーから取出された擬似の中央チャンネルの信号を発生させるものがある。しかし中央チャンネルの信号は左右信号Ｒの真の中央の信号でないため、依然として聴取者が左のスピーカー前方に移動すると、中央に定位すべき音が聴取者の位置につれて移動し適正な再生状態が得られなくなる。
【００１０】
そこで信号の変換手段として、トランスを用いて中央に定位すべき音が聴取者の位置につれて移動し適正な再生状態が得られる左右信号に含まれている中間出力信号を取出すことが、本件出願人により先に出願されている。
【００１１】
しかしトランスを用いているため、フローティングする必要とするため、そのままでは中間信号を取り出せない。またトランスを用いるため集積回路化はできず量産が困難であり、且つ重量が重くなった。
【課題を解決するための手段】
【００１２】
本発明はそこでトランスを用いず、差動増幅器を有する電圧電流変換器で構成した電子トランスおよびその電子トランスを用いたステレオ信号取出装置を提供するもので、
反転入力端子と非反転入力端子がそれぞれ接続され、反転入力端子と出力端子とを第１の抵抗および第２の抵抗を介して接続した第１および第２の差動増幅器を有する電圧電流変換回路よりなり、第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、前記各第１の抵抗と第２の抵抗の接続点に第１および第２の出力端子を設け、前記第１および第２の差動増幅器の出力端子間を接続した複数の第２の抵抗の中点に出力端子を設けた電子トランスを提供する。
【００１３】
本発明は反転入力端子、非反転入力端子および出力端子を有する第１および第２の差動増幅器とを有する電圧電流変換器よりなり、第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、前記第１及び第２の差動増幅器の非反転入力端子と出力端子はそれぞれ第１および第２の抵抗を介して接続され、前記第１及び第２の差動増幅器の非反転入力端子と出力端子を接続した第１および第２の抵抗のそれぞれの接続点に第１および第２の出力端子を設け、前記第１、第２の差動増幅器の出力端子および前記第１、第２の出力端子を複数の第２の抵抗で接続し、前記第２の抵抗の接続点に出力端子を設けた電子トランスを提供する。
【００１４】
本発明は反転入力端子と非反転入力端子がそれぞれ接続され、反転入力端子と出力端子とを第１の抵抗および第２の抵抗を介して接続した第１および第２の差動増幅器を有する電圧電流変換回路よりなり、第１の入力端子を前記第１の差動増幅器の非反転入力端子と第２の差動増幅器の反転入力端子に接続し、第２の入力端子を前記第１の差動増幅器の反転入力端子と第２の差動増幅器の非反転入力端子に接続し、前記各第１の抵抗と第２の抵抗の接続点に第１および第２の出力端子を設け、前記第１および第２の差動増幅器の出力端子間を接続した複数の第２の抵抗の中点に出力端子を設けた第１、第２および第３の電子トランスよりなり、
前記第１の電子トランスの第１の出力端子と第３の電子トランスの第１の出力端子を接続し、前記第２の電子トランスの第１の出力端子と第３の電子トランスの第２の出力端子を接続し、第１および第２の電子トランスの第２の出力端子を接続し、前記第１および第３の電子トランスの第１の入力端子に右信号Ｒと中間出力信号Ｓとを含む右複合信号Ｒｏを加え、
第２の電子トランスの第１の信号入力端子と第３の電子トランスの第２の信号入力端子に左信号Ｌと中間出力信号Ｓとを含む左複合信号Ｌｏを加え、前記第３の電子トランスの出力端子から中間出力信号Ｓを取出すステレオ信号取出装置を提供する。
【発明の効果】
【００１５】
本発明の電子トランスおよびそれを用いたステレオ信号取出装置は電子トランスを１対の差動増幅器にて構成したので、従来のごとく巻線を用いたトランスにような変換手段を必要としないため、集積回路化が可能なため量産効率が上がり、また軽量化できる。
【００１６】
本発明のステレオ信号取出装置は量産効率の向上および軽量化に加え、従来トランスを用いたものはフローテングしていたので、そのままでは中間信号を取出すことができないが、本発明のステレオ信号取出装置では出力端子からそのまま出力信号を取出すことができる。
【発明を実施するための最良の形態】
【００１７】
本発明を図１〜図９に従って説明する。
【００１８】
図１は本発明のステレオ信号取出装置回路１４のブロック図である。入力端子１５Ｌ、１５Ｒに接続された共通信号検出回路１７及び差動増幅回路１６Ｌ、１６Ｒを有する。
【００１９】
入力端子１５Ｌ、１５ＲにはＣＤあるいはテープ等から再生され伝送された左複合信号Ｌｏおよび右複合信号Ｒｏが加えられる。左複合信号Ｌｏには左信号Ｌと中間出力信号Ｓが含まれるＬ＋Ｓ信号であり、同様に右複合信号Ｒｏには右信号Ｒと中間出力信号Ｓが含まれＲ＋Ｓ信号である。
【００２０】
入力端子１５Ｌに加えられた左複合信号Ｌｏは差動増幅回路１６Ｌの＋端子に加えられる。また入力端子１５Ｒに加えられた右複合信号Ｒｏは差動増幅回路１６Ｒの＋端子に加えられる。
【００２１】
さらに入力端子１５Ｌ、１５Ｒに加えられた左複合信号Ｌｏ、右複合信号Ｒｏは共通信号検出回路１７に加えられ、中間出力信号Ｓを発生する。発生された中間出力信号Ｓはそのまま中間出力端子１８Ｓから取出される他、差動増幅回路１６Ｌ、１６Ｒの−端子に加えられる。
【００２２】
差動増幅回路１６Ｌからは出力端子１８Ｌに中間出力信号Ｓが含まれない左信号Ｌが取出され、差動増幅回路１６Ｒからは出力端子１８Ｒに中間出力信号Ｓが含まれない左信号Ｌが取出される。
【００２３】
図２はステレオ信号取出回路１４の原理図で、第１および第２の変換器２１Ｌおよび２１Ｒを用いて中間出力信号Ｓを取出す原理を示している。第１および第２の変換器２１Ｌ、２１Ｒは例えば、図４で示すようなトランスで、２入力端子を有する１次側巻線と両出力端子と両出力端子間に中間出力端子を有する２次側巻線を有する。
【００２４】
第１の変換器２１Ｌおよび第２の変換器２１Ｒの２次側部２１Ｌ２、２１Ｒ２は一方の出力端子ｔ５、ｔ５を接続しＶ結線している。そして２次側部２１Ｌ２、２１Ｒ２の他方の出力端子ｔ３、ｔ３は高抵抗Ｒ１、Ｒ１を介し接続し、中間出力端子ｔ４を設けている。
【００２５】
第１の変換器２１Ｒの１次側部２１Ｌ１の入力端子ｔ１に中間出力信号Ｓを含む左複合信号Ｌｏ＝２Ｌ＋２Ｓが加えられる。また第２の変換器２１Ｒ１の１次側部２１Ｒ１の入力端子ｔ１に中間出力信号Ｓを含む右複合信号Ｒｏ＝２Ｒ＋２Ｓが加えられる。
【００２６】
Ｖ結線された第１の変換器２１Ｌの２次側部２１Ｌ２の端子ｔ３には信号Ｌ＋Ｓが誘起され、端子ｔ５には信号−Ｌ−Ｓが誘起される。第２の変換器２１Ｒの２次側部２１Ｒ２の端子ｔ３には信号Ｒ＋Ｓが誘起される。端子ｔ５には信号−Ｒ−Ｓが誘起される。
【００２７】
従って第１の変換器２１Ｌの２次側部２１Ｌ２の端子ｔ３と高抵抗Ｒ１との接続点Ｘには信号Ｌ＋Ｓ−Ｒが分離される。また第２の変換器２１Ｒの２次側部２１Ｒ２の端子ｔ３と高抵抗Ｒ１と接続点Ｙには信号Ｒ＋Ｓ−Ｌが分離される。さらにトランスＴ１の２次側巻線Ｔ１２の端子ｔ５と第２のトランスＴ２の２次側巻線Ｔ２２の端子ｔ５と接続点Ｚには信号−Ｒ−Ｓ−Ｌが分離される。
【００２８】
その結果、高抵抗Ｒ１、Ｒ１の接続点にある中間出力端子ｔ３には中間出力信号Ｓが分離される。また第１および第２の変換器２１Ｌ、２１Ｒの２次側部２１Ｌ１、２１Ｒ１の各中間出力端子ｔ４からは左信号−Ｌおよび右信号−Ｒが分離される。
【００２９】
図３は前述した各ステレオ信号を分離すためのステレオ信号取出回路１４の回路図である。ステレオ信号取出回路１４は第１のトランスＴ１、第２のトランスＴ２および第３のトランスＴ３よりなる。
【００３０】
図４に各トランスＴ１、Ｔ２、Ｔ３を示す。図４（Ａ）に示すように、第１のトランスＴ１は１次側巻線Ｔ１１と２次側巻線Ｔ１２を有し、１次側巻線Ｔ１１と第１の２次側巻線Ｔ１２は共にインピーダンスが１ＫΩにされている。また１次側巻線Ｔ１１と２次側巻線Ｔ１２の巻線比は１：１にされている。
【００３１】
第１のトランスＴ１の１次側巻線Ｔ１１の両端には２入力端子ｔ１、ｔ２を有し、２次側巻線Ｔ１２には両端に３出力端子ｔ３、ｔ５を有する他、出力端子ｔ３、ｔ５の中間には中間出力端子ｔ４を有する。
【００３２】
図４（Ｂ）および図４（Ｃ）に示すように、第２のトランスＴ２および第３のトランスＴ３も第１のトランスＴ１と同様な構成をなす。
【００３３】
図３に示すように、第１のトランスＴ１の１次側巻線Ｔ１１の一方の入力端子ｔ１と第３のトランスＴ３の１次側巻線Ｔ３１の一方の入力端子ｔ１とが接続されている。同様に第２のトランスＴ２の１次側巻線Ｔ２１の一方の入力端子ｔ１と第３のトランスＴ３の１次側巻線Ｔ３１の前記と異なる他方の入力端子ｔ２とが接続されている。
【００３４】
第１のトランスＴ１、第２のトランスＴ２および第３のトランスＴ３の２次側巻線Ｔ１２、Ｔ２２、Ｔ３２はデルタ結線されている。第１のトランスＴ１の１次側巻線Ｔ１１の入力端子ｔ１と第３のトランスＴ３の１次側巻線Ｔ３１の入力端子ｔ１に中間出力信号Ｓを含む左複合信号Ｌｏ＝２Ｌ＋２Ｓが加えられる。また第２のトランスＴ２の１次側巻線Ｔ２１の入力端子ｔ１と第３のトランスＴ３の１次側巻線Ｔ３１の入力端子ｔ２に中間出力信号Ｓを含む右複合信号Ｒｏ＝２Ｒ＋２Ｓを加えられる。
【００３５】
上述のような構成をなしており、１次側巻線と２次側巻線の巻線比が1：1にされているので、デルタ結線された第１のトランスＴ１の２次側部側巻線Ｔ１２の端子ｔ３には信号Ｌ＋Ｓが誘起され、端子ｔ５には信号−Ｌ−Ｓが誘起される。
【００３６】
第２のトランスＴ２の２次側巻線Ｔ２２の端子ｔ３には信号Ｒ＋Ｓが誘起される。端子ｔ５には信号−Ｒ−Ｓが誘起される。
【００３７】
第３のトランスＴ３の２次側部側巻線Ｔ１２の端子ｔ３には信号Ｌ−Ｒ誘起される。端子ｔ５には信号Ｒ−Ｌが誘起される。
【００３８】
従って第１のトランスＴ１の２次側巻線Ｔ１２の端子ｔ３と第３のトランスＴ３の２次側巻線Ｔ３２の端子ｔ３との接続点Ｘには信号Ｌ＋Ｓ−Ｒが分離される。また第２のトランスＴ２の２次側巻線Ｔ２２の端子ｔ３と第３のトランスＴ３の２次側巻線Ｔ３２の端子ｔ５と接続点Ｙには信号Ｒ＋Ｓ−Ｌが分離される。さらにトランスＴ１の第１の２次側巻線Ｔ１２の端子ｔ５と第２のトランスＴ２の２次側巻線Ｔ２２の端子ｔ５と接続点Ｚには信号−Ｒ−Ｓ−Ｌが分離される。
【００３９】
それ故に第１、第２および第３のトランスＴ１、Ｔ２、Ｔ３の２次側巻線の各中間出力端子ｔ４からは左信号−Ｌ、右信号−Ｒおよび中間出力信号Ｓが分離される。
【００４０】
図２および図３において中間出力信号Ｓは分離される。しかしＶ結線された変換器２１Ｌ、２１Ｒの２次側部２１Ｌ２、２１Ｒ２およびΔ結線された第１、第２および第３のトランスＴ１、Ｔ２、Ｔ３の第１の２次側巻線Ｔ１２、２２、３２はフローティングされているので、このままでは各分離された信号を取出すことができない。また変換手段として巻線式トランスを用いているため量産化に手間取った。
【００４１】
本発明はそこで巻線式トランスの代りに差動増幅器で構成した電圧電流変換器を用いることにより、量産化を可能にすると共に容易に各分離された信号を取出すことが出来るようにした電子トランスおよびステレオ信号取出装置を提供する。
【００４２】
図５は本発明の電子トランスに用いた電圧電流変換器（定電流出力回路）のブロック図である。
【００４３】
図５（Ａ）において、電流電圧変換器は差動増幅器３０の反転入力端子および非反転入力端子が１００ＫΩの抵抗を介してそれぞれ入力端子＋および入力端子−に接続されている。また差動増幅器３０の非反転入力端子と出力端子は第１の抵抗３１および１ＫΩの第２の抵抗３２を介して接続されている。第1の抵抗３１と第２の抵抗３２との接続点は出力端子＋となし、負荷に第２の抵抗３２が接続されている。また差動増幅器３０の反転入力端子と出力端子は第１の抵抗３１を介して接続されている。
【００４４】
図５（Ａ）の電流電圧変換器において、入力端子＋に電圧＋１Ｖを加え、非反転入力端子に電圧＋１Ｖを加えると、出力端子＋に電圧＋１Ｖが出力される。この出力が第２の抵抗３２を介して帰還され、差動増幅器３０の出力端子が２Ｖに達した段階で回路は平衡する。入力端子に加わった＋１Ｖの電圧が＋１ｍＡの電流出力に変わった訳である。
【００４５】
入力端子＋に−１Ｖが加わると、出力端子＋に−１ｍＡの電流出力に変わる。これは出力端子＋に接続した抵抗３２の大きさを変えても変わらない。
【００４６】
図５（Ｂ）は図５（Ａ）と同じブロック図である。今度は入力端子−に電圧＋１Ｖを加えた場合である。出力端子＋に電圧−１Ｖが出力される。この出力が第２の抵抗３２を介して帰還され、差動増幅器３０の出力端子が−２Ｖになり、反転入力端子および非反転入力端子の平衡電圧は０．５Ｖ下がり、出力電流は−１ｍＡとなり平衡する。
【００４７】
入力端子−に−１Ｖの電圧が加わった場合は＋１ｍＡの電流出力になる。入力端子＋と入力端子−に同じ電圧を加え、差動増幅器３０に反転入力端子および非反転入力端子に同じ電圧が加わると、出力電圧は０となる。
【００４８】
図５（Ｃ）は入力端子＋及び入力端子−に電圧を加えず、外部端子＋から＋１Ｖを加えた場合である。出力端子＋に加わった電圧は差動増幅器３０の非反転入力端子に加わり、出力端子が＋に上昇し、差動増幅器３０の出力端子が＋１Ｖで平衡する。この状態は出力インピーダンスが無限大に上昇していることを示す。
【００４９】
図６は前述した電圧電流変換器を用いて構成した電子トランスである。電子トランスは第１および第２の電圧電流変換回路を構成する差動増幅器３０Ａ、３０Ｂよりなる。
【００５０】
入力端子ＩＮ１は第１の電圧電流変換回路の差動増幅器３０Ａの非反転入力端子と第２の電圧電流変換回路の差動増幅器３０Ｂの反転入力端子とが抵抗を介して接続され、入力端子ＩＮ２は第１の差動増幅器３０Ａの反転入力端子と第２の差動増幅器３０の非反転入力端子とに接続されている。
【００５１】
差動増幅器３０Ａ、３０Ｂの非反転入力端子と出力端子はそれぞれ第１の抵抗３１、３１および１ＫΩの第２の抵抗３２、３２を介して接続される。差動増幅器３０Ａ、３０Ｂの非反転入力端子と出力端子を接続した第１の抵抗３１、３１および第２の抵抗３２、３２のそれぞれの接続点に出力端子ＯＵＴ１、ＯＵＴ２を設けている。
【００５２】
第１および第２の出力端子ＯＵＴ１、ＯＵＴ２と前記差動増幅器３０Ａ、３０Ｂの出力端子を第２の抵抗３２、３２で接続すると共に、第１および第２の出力端子ＯＵＴ１、ＯＵＴ２も第２の抵抗３２、３２で接続している。さらに第１および第２の出力端子ＯＵＴ１、ＯＵＴ２とも第２の抵抗３２、３２で接続している。そして第１および第２の出力端子ＯＵＴ１、ＯＵＴ２および差動増幅器３０Ａ、３０Ｂの出力端子を接続した第２の抵抗３２、３２の接続点に第３の出力端子ＯＵＴ３を設けている。
【００５３】
斯かる構成をなす変換回路３５の１次力力端子ＩＮ１に信号＋１を加え、入力端子ＩＮ２を０Ｖとすると、出力端子ＯＵＴ１に信号＋１が出力され、出力端子ＯＵＴ２に信号−１が出力される。各出力電圧は回路内を流れ平衡するので、出力側からみた内部インピーダンスは無限大となる。出力端子ＯＵＴ１、ＯＵＴ２に電圧が加わった場合、差動増幅器３０Ａ、３０Ｂには同相の電圧が発生し流入を阻止する。この電圧は第３の出力端子ＯＵＴ３に現れる。
【００５４】
この入力端子ＩＮ１、ＩＮ２を１次巻線側と考え、出力端子ＯＵＴ１、ＯＵＴ２を2次巻線側と考え、第３の出力端子ＯＵＴ３を2次巻線の中間端子と考えると、2次側の出力電流は０である範囲において、この回路は巻線比１：２の中間端子付きトランスと同じ働きをする。
【００５５】
図７は前述した電子トランスを用いた本発明のステレオ信号取出装置である。
【００５６】
図７において、ステレオ信号取出装置は同一構成をなす第１、第２および第３の電子トランス３５Ａ、３５Ｂ、３５Ｃよりなる。第１の電子トランス３５Ａの入力端子ＩＮ１Ａおよび第３の電子トランス３５Ｃの第１の信号入力端子ＩＮ１Ｃは右信号Ｒと中間出力信号Ｓとを含む右複合信号Ｒｏが加えられる右信号入力端子ＩＮＲに接続され、第１の電子トランス３５Ａの第２の信号入力端子ＩＮ２Ａは接地されている。
【００５７】
第２の電子トランス３５Ｂの第１の信号入力端子ＩＮ１Ｂおよび第３の電子トランス３５Ｃの第２の信号入力端子ＩＮ２Ｃは左信号Ｌと中間出力信号Ｓとを含む左複合信号Ｌｏが加えられる左信号入力端子ＩＮＬに接続され、第２の電子トランス３５Ｂの第２の信号入力端子ＩＮ２Ｂは接地されている。
【００５８】
第１の電子トランス３５Ａの第１の出力端子ＯＵＴ１Ａと第３の電子トランス３５Ｃの第１の出力端子ＯＵＴ１Ｃを第２の抵抗３２で接続し、前記第２の電子トランス３５Ｂの第１の出力端子ＯＵＴ１Ｂと第３の電子トランス３５Ｃの第２の出力端子ＯＵＴ２Ｃも抵抗３２で接続している。第１および第２の電子トランス３５Ａ、３５Ｂの第２の出力端子ＯＵＴ２Ａ、ＯＵＴ２Ｂは抵抗３２を介して接続される。
【００５９】
各電子トランス３５Ａ、３５Ｂ、３５Ｃの第１の出力端子ＯＵＴ１Ａ、ＯＵＴ１Ｂ、ＯＵＴ１Ｃ第３の出力端子ＯＵＴ３Ａ、ＯＵＴ３Ｂ、ＯＵＴ３Ｃとはそれぞれ第２の抵抗３２、３２、３２で接続されており、同様に第２の出力端子ＯＵＴ２Ａ、ＯＵＴ２Ｂ、ＯＵＴ２Ｃと出力端子ＯＵＴ３Ａ、ＯＵＴ３Ｂ、ＯＵＴ３Ｃともそれぞれ第２の抵抗３２、３２、３２で接続されている。
【００６０】
次に本発明のステレオ信号取出装置の動作を説明する。
【００６１】
図８に示すごとく、右信号入力端子ＩＮＲのみに右信号＋Ｒを加え、左信号入力端子ＩＮＲに信号を加えないとき、第１の電子トランス３５Ａの入力端子ＩＮ１Ａには信号Ｒが加わり、１次の入力端子ＩＮ２Ａには信号が加わらないので、第１の出力端子ＯＵＴ１Ａからは信号＋Ｒが出力され、第１の電子トランス３５Ａの第２の出力端子ＯＵＴ２Ａからは信号−Ｒが出力される。従って差動増幅器３０Ａ１の出力端子には信号＋２Ｒが出力され、差動増幅器３０Ｂ１の出力端子には信号−２Ｒが出力されるので、第３の出力端子ＯＵＴ３Ａには出力されない。
【００６２】
同様に第３の電子トランス３５Ｃの第１の出力端子ＯＵＴ１Ａからは信号＋Ｒが出力され、第１の電子トランス３５Ａの第２の出力端子ＯＵＴ２Ａからは信号−Ｒが出力される。従って差動増幅器３０Ａ３には信号＋２Ｒが出力され、差動増幅器３０Ｂ３には信号−２Ｒが出力されるので、第３の出力端子ＯＵＴ３Ｃには出力されない。
【００６３】
一方第２の電子トランス３５Ｂの入力端子ＩＮ１Ｂ、ＩＮ２Ｂには信号が加わらなず、第１および第３の電子トランス３５Ａ、３５Ｃの出力端子ＯＵＴ２Ａ、ＯＵＴ２Ｃからの信号−Ｒが出力端子ＯＵＴ１Ｂ、ＯＵＴ２Ｂに加わり、抵抗３１でブリーダされ差動増幅器３０１Ｂ、３０２Ｂの反転入力端子および非反転入力端子に信号−０．５Ｒが加わるため、差動増幅器３０１Ｂ、３８２Ｂの出力端子には信号−Ｒを出力するので、第３の出力端子ＯＵＴ３Ｂには信号−Ｒを出力する。
【００６４】
図９に示すごとく、今度は右信号入力端子ＩＮＲに信号を加えず、左信号入力端子ＩＮＲのみに左信号Ｌを加えたものである。第２の電子トランス３５Ｂの入力端子ＩＮ１Ｂには信号Ｌが加わり、１次の入力端子ＩＮ２Ｂには信号が加わらないので、第１の出力端子ＯＵＴ１Ｂからは信号＋Ｌが出力され、第２の電子トランス３５Ｂの第２の出力端子ＯＵＴ２Ｂからは信号−Ｌが出力される。従って差動増幅器３０１Ａには信号＋２Ｌが出力され、差動増幅器３０２Ｂには信号−２Ｌが出力されるので、出力端子ＯＵＴ３Ｂには出力されない。
【００６５】
同様に第３の電子トランス３５Ｃの第１の出力端子ＯＵＴ１Ａからは信号＋Ｌが出力され、第３の電子トランス３５Ｃの第２の出力端子ＯＵＴ３Ａからは信号−Ｌが出力される。従って差動増幅器３０Ａ３には信号＋２Ｌが出力され、差動増幅器３０Ｂ３には信号−２Ｌが出力されるので、出力端子ＯＵＴ３Ｃには出力されない。
【００６６】
一方第１の電子トランス３５Ａの入力端子ＩＮ１Ａ、ＩＮ２Ａには信号が加わわらず、第１および第３の電子トランス３５Ａ、３５Ｃの出力端子ＯＵＴ１Ａ、ＯＵＴ２Ａからの信号−Ｌが出力端子ＯＵＴ１Ａ、ＯＵＴ２Ａに加わり、抵抗３２を介して差動増幅器３０１Ａ、３０１Ｂの反転入力端子および非反転入力端子に−０．５Ｌの信号が加わるため、差動増幅器３０１Ａ、３８２Ａの出力端子には信号−Ｌを出力するので、出力端子ＯＵＴ３Ａには信号−Ｌを出力する。
【００６７】
図１０に示すごとく、右信号入力端子ＩＮＲにおよび左信号入力端子ＩＮＬに中間信号Ｓを加えた場合である。第１、第２の電子トランス３５Ａ、３５Ｂの入力端子ＩＮ１Ａ、ＩＮ１Ｂには信号Ｓが加わり、１次の入力端子ＩＮ２Ａ、ＩＮ２Ｂには信号が加わらないので、第１の出力端子ＯＵＴ１Ａ、ＯＵＴ１Ｂからは信号＋Ｓが出力され、第１、第３の電子トランス３５Ａ、３５Ｂの第２の出力端子ＯＵＴ２Ａ、ＯＵＴ２Ｂからは信号−Ｓが出力される。従って差動増幅器３０Ａ１、３０Ａ２には信号＋２Ｓが出力され、差動増幅器３０Ｂ１、３０Ｂ２には信号−２Ｓが出力されるので、第３の出力端子ＯＵＴ３Ａ、３Ｂには出力されない。
【００６８】
一方第３の電子トランス３５Ｃの入力端子ＩＮ１Ｃ、ＩＮ２Ｃには共に信号Ｓが加わるので、打ち消し合い第１および第２の電子トランス３５Ａ、３５Ｂの出力端子ＯＵＴＡ１、ＯＵＴ２Ｂからの信号Ｓが出力端子ＯＵＴ１Ｃ、ＯＵＴ２Ｃに加わり、抵抗３１を介して差動増幅器３０Ａ３、３０Ｂ３の反転入力端子および非反転入力端子に−０．５Ｓの信号が加わるため、差動増幅器３０Ａ３、３８Ｂ３の出力端子には信号＋Ｓを出力するので、出力端子ＯＵＴ３Ｃには信号＋Ｓを出力する。
【００６９】
図７に示すように以上の動作から、右信号入力端子ＩＮＲに右信号Ｒと中間出力信号Ｓとを含む右複合信号Ｒｏを加え、左信号入力端子ＩＮＬに左信号Ｌと中間出力信号Ｓとを含む右複合信号Ｌｏを加える。すると第１の電子トランス３５Ａの第１の出力端子ＯＵＴ１Ａには信号＋Ｒ＋Ｓ−Ｌが出力され、第２の出力端子ＯＵＴ２Ａには−Ｒ−Ｓ−Ｌが出力される。第２の電子トランス３５Ｂの第１の出力端子ＯＵＴ１Ｂには信号−Ｒ＋Ｓ＋Ｌが出力され、第２の出力端子ＯＵＴ２Ｂには−Ｒ−Ｓ−Ｌが出力される。
【００７０】
従って第１の電子トランス３５Ａの出力端子ＯＵＴ３Ａには第１の出力端子ＯＵＴ１Ａに出力された信号＋Ｒ＋Ｓ−Ｌと、第２の出力端子ＯＵＴ２Ａに出力された信号−Ｒ−Ｓ−Ｌとが第２の抵抗３２、３２で打消され残った左信号−Ｌが取出される。
【００７１】
同様に第２の電子トランス３５Ｂの出力端子ＯＵＴ３Ａには第１の出力端子ＯＵＴ１Ｂに出力された信号−Ｒ＋Ｓ＋Ｌと、第２の出力端子ＯＵＴ２Ｂに出力された信号−Ｒ−Ｓ−Ｌとが第２の抵抗３２、３２で打消され残った左信号−Ｒが取出される。
【００７２】
第３の電子トランス３５Ｃの第１の出力端子ＯＵＴ１Ｃには中間信号Ｓは打ち消され、差動増幅器３０Ａ３の出力端子には信号＋２Ｒ−２Ｌが取り出され、差動増幅器３０Ｂ３の出力端子ＯＵＴには信号−２Ｒ＋２Ｌが取り出される。従って第３の出力端子ＯＵＴ３Ｃではこれら信号が打ち消され、中間信号Ｓのみが出力される。
【００７３】
このようにして第１の電子トランス３５Ａの第３の出力端子ＯＵＴ３Ａからは左信号−Ｌが取り出され、第２の電子トランス３５Ｂの第３の出力端子ＯＵＴ３Ｂからは右信号−Ｌが取り出される。第３の電子トランス３５Ｃの第３の出力端子ＯＵＴ３Ｃからは中間信号Ｓが取り出されることとなる。
【図面の簡単な説明】
【００７４】
【図１】本発明のステレオ信号取出装置を用いたステレオ信号再生装置のブロック図である。
【図２】本発明のステレオ信号取出装置の原理を示すブロック図である。
【図３】本発明のステレオ信号取出装置の原理を示すブロック図である。
【図４】本発明のステレオ信号取出装置の原理を示すブロック図に用いたトランスの図で、図４（Ａ）は第１のトランスの図、図４（Ｂ）は第２のトランスの図、図４（Ｃ）は第３のトランスの図である。
【図５】本発明の電圧電流変換回路のブロック図で、図５（Ａ）は元となるブロック図、図５（Ｂ）は他の実施例を示すブロック図、図５（Ｃ）は同じく他の実施例を示すブロック図である。
【図６】本発明の電子トランスのブロック図である。
【図７】本発明のステレオ信号取出装置のブロック図である。
【図８】本発明のステレオ信号取出装置のブロック図で、右信号を加えた場合のブロック図である。
【図９】本発明のステレオ信号取出装置のブロック図で、左信号を加えた場合のブロック図である。
【図１０】本発明のステレオ信号取出装置のブロック図で、中間信号を加えた場合のブロック図である。
【図１１】従来のステレオ信号再生装置のブロック図である。
【符号の説明】
【００７５】
３０        差動増幅器
３１        第１の抵抗
３２        第２の抵抗
３５        変換回路
３５Ａ      第１の変換回路
３５Ｂ      第２の変換回路
３５Ｃ      第３の変換回路
ＩＮＲ      右信号入力端子
ＩＮＬ      左信号入力端子
ＯＵＴ３Ａ  第１の変換回路の第３の出力端子
ＯＵＴ３Ｂ  第２の変換回路の第３の出力端子
ＯＵＴ３Ｃ  第３の変換回路の第３の出力端子
【図１】
2005252719.tif 000003
【図２】
2005252719.tif 000004
【図３】
2005252719.tif 000005
【図４】
2005252719.tif 000006
【図５】
2005252719.tif 000007
【図６】
2005252719.tif 000008
【図７】
2005252719.tif 000009
【図８】
2005252719.tif 000010
【図９】
2005252719.tif 000011
【図１０】
2005252719.tif 000012
【図１１】
2005252719.tif 000013